(57)【特許請求の範囲】
【請求項１】
ＡＣ側、ＤＣ側の２種類の巻線を施した１つのロータコアおよびＡＣ側、ＤＣ側の２つの整流子を有するロータと、それぞれの整流子に対して給電を行う２対のカーボンブラシと、ロータコアの外周に位置し、１つのステータコアに前記ロータの巻線に応じた２種類の巻線を施してなるステータと、前記ロータにより回転駆動されるインペラと、前記各部を内包するブラケットとを装備した電動送風機。
【請求項２】
ＤＣ側の整流子をインペラ側に、ＡＣ側の整流子を反インペラ側に配設した請求項１に記載の電動送風機。
【請求項３】
ＡＣ側の整流子をインペラ側に、ＤＣ側の整流子を反インペラ側に配設した請求項１に記載の電動送風機。
【請求項４】
ロータコアへのＤＣ側の巻線をＡＣ側の巻線よりも先に施した請求項１〜３のいずれか１項に記載の電動送風機。
【請求項５】
ロータコアへのＡＣ側の巻線をＤＣ側の巻線よりも先に施した請求項１〜３のいずれか１項に記載の電動送風機。
【請求項６】
ＡＣ側、ＤＣ側のいずれか一方の整流子をスリット式とした請求項１〜５のいずれか１項に記載の電動送風機。
【請求項７】
ＡＣ、ＤＣ両側の整流子をスリット式とした請求項１〜５のいずれか１項に記載の電動送風機。
【請求項８】
ＤＣ側の整流子をスリット式とし、整流子片の数をロータコアのスロット数と同一に設定した請求項１〜５のいずれか１項に記載の電動送風機。
【請求項９】
ＤＣ側の整流子をスリット式とし、整流子片の数をロータコアのスロット数の１／２に設定した請求項１〜５のいずれか１項に記載の電動送風機。
【請求項１０】
ステータの巻線のうち、ＡＣ用の巻線をＤＣ用の巻線よりも先に施した請求項１〜９のいずれか１項に記載の電動送風機。
【請求項１１】
ステータの巻線のうち、ＤＣ用の巻線をＡＣ用の巻線よりも先に施した請求項１〜９のいずれか１項に記載の電動送風機。
【請求項１２】
ステータの２種類の巻線を、同時にステータコアへ巻き付けた請求項１〜９のいずれか１項に記載の電動送風機。
【請求項１３】
請求項１〜１２記載の電動送風機を用いた電気掃除機。
【発明の詳細な説明】
【０００１】
【発明の属する技術分野】
本発明は、一般家庭において使用する交流と直流両使用型の電動送風機とそれを用いた電気掃除機に関するものである。
【０００２】
【従来の技術】
従来のこの種の電動送風機について、図９、図１０を用いて説明する。
【０００３】
図において、１は磁束を発生する界磁マグネットである。２はロータで、シャフト３に通されたロータコア４にＡＣ側とＤＣ側の２種類の電機子巻線５を施し、ＡＣ側の整流子６と、ＤＣ側の整流子７を同軸上にロータコア４を挟んで配置して、シャフト３の両端に設けられた第１の軸受８、第２の軸受９によって回転自在に支持されている。前記界磁マグネット１は反負荷側のブラケット１１の内側でロータ２の外周に位置して固定され、ロータ２は負荷側のブラケット１０、反負荷側のブラケット１１に固定された第１の軸受８、第２の軸受９によって支持されている。また、反負荷側ブラケット１１には、ＡＣ側のカーボンブラシ１２と、ＤＣ側のカーボンブラシ１３を、それぞれＡＣ側の異形管１４と、ＤＣ側の異形管１５を介して挿入して装備している。そして、上記各部１〜１５によりモータ部１６を形成している。
【０００４】
また、出力軸であるシャフト３の一方の端部（負荷側）には、インペラ１７が備えられ、インペラ１７の外周部には通風路を形成するエアーガイド１８が配されており、ケーシング１９がこれらを覆うように取り付けられており、これらによりファン部２０を構成している。
【０００５】
上記モータ部１６とファン部２０は、全体として電動送風機２１を構成しているものである。
【０００６】
図１０は電動送風機２１の駆動回路を示す。２２は電池であり、ＤＣ側のカーボンブラシ１３へと接続されている。２３は交流電源で、整流器２４、コンデンサ２５を経て、ＡＣ側のカーボンブラシ１２へと接続されている。
【０００７】
上記構成において動作を説明すると、まず、ＡＣ駆動の場合は、界磁がマグネットで、磁束が一方向のため、交流を直流に変換する必要がある。交流電源２３の正弦波は整流器２４で整流され、次に、コンデンサ２５によって平滑される。これがＡＣ側のカーボンブラシ１２に供給されると、次にＡＣ側の整流子６に伝わり、界磁マグネット１で発生した磁束とＡＣ側の電機子巻線５を通る電流との間で力が発生し、ロータ２が回転する。次にロータ２が回転することにより、ロータ２のシャフト３に固定された負荷であるインペラ１７が回転し、インペラ１７内の空気を増速し、増速された空気はエアーガイド１８にて減速されて電動送風機２１内部を流れ、ロータ２、界磁マグネット１、ＡＣ側のカーボンブラシ１２を冷却しながら、反負荷側のブラケット１１の排気口（図示せず）より排出される。
【０００８】
また、ＤＣ駆動の場合は、電池２２から直接ＤＣ側のカーボンブラシ１３に電力が供給されると、それがＤＣ側の整流子７に伝わり、界磁マグネット１で発生した磁束とＤＣ側の電機子巻線５を通る電流との間で力が発生し、ロータ２が回転する。次にロータ２が回転することにより、ロータ２のシャフト３に固定されたインペラ１７が回転し、インペラ１７内の空気を増速し、増速された空気はエアーガイド１８にて減速されて電動送風機２１内部を流れ、ロータ２、界磁マグネット１、ＤＣ側のカーボンブラシ１３を冷却しながら、反負荷側ブラケット１１の排気口（図示せず）より排出される。
【０００９】
【発明が解決しようとする課題】
このような従来の２つの整流子を備えた交直両用の電動送風機（以降、２整流子型電動送風機と呼ぶことにする）では、界磁にマグネットを用いているため、磁束が一定で、ＡＣ側の、または、ＤＣ側のどちらか一方のロータ巻線仕様に合わせてマグネットのフラックスを設定するか、あるいは、その中間あたりを狙ったフラックスを選定せざるを得ないため、モータの特性としては、ＡＣまたはＤＣのどちらかに偏った特性になるか、どっちつかずの中途半端な特性とならざるを得なかった。特に、ＡＣ駆動時の電圧１００Ｖに対し、ＤＣ駆動時の電圧が低い場合には、その傾向が顕著に表れた。また、ＡＣ駆動時には、整流回路２４を介して交流を一旦直流に変換する必要があり、整流回路２４での熱損失は必ず発生した。さらには、整流後の波形がリップルを多く含む場合には、電動送風機のブラシ寿命の低下や、効率の低下を招き、その対策として、大容量の平滑コンデンサが必要となることがあった。そうすると、さらに、突入電流抑制手段が必要になったり、コスト的な面でも不利になりやすかった。
【００１０】
本発明は、上記従来の課題を解決するもので、ＡＣ駆動、ＤＣ駆動共に効率が高く、ＡＣ駆動時には、整流回路等が不要でコスト的にも有利な交直両用の電動送風機とそれを用いた電気掃除機を提供することを目的とする。
【００１１】
【課題を解決するための手段】
上記目的を達成するために、本発明の電動送風機は、ＡＣ側、ＤＣ側の２種類の巻線を施した１つのロータコアおよびＡＣ側、ＤＣ側の２つの整流子を有するロータと、ロータコアの外周に位置し、１つのステータコアに前記ロータの巻線に応じた２種類の巻線を施してなるステータとを装備したものである。
【００１２】
これにより、ロータの巻線仕様に合った、界磁の巻線（磁束の調整）が可能で、ＡＣ駆動、ＤＣ駆動共に効率が高く、ＡＣ駆動時には、整流回路等が不要でコスト的にも有利な交直両用の電動送風機とそれを用いた電気掃除機を提供することができる。
【００１３】
【発明の実施の形態】
請求項１に記載の発明は、ＡＣ側、ＤＣ側の２種類の巻線を施した１つのロータコアおよびＡＣ側、ＤＣ側の２つの整流子を有するロータと、それぞれの整流子に対して給電を行う２対のカーボンブラシと、ロータコアの外周に位置し、１つのステータコアに前記ロータの巻線に応じた２種類の巻線を施してなるステータと、前記ロータにより回転駆動されるインペラと、前記各部を内包するブラケットとを装備した電動送風機とすることにより、ロータの巻線仕様に合った、界磁の巻線（磁束の調整）が可能で、ＡＣ駆動、ＤＣ駆動共に効率が高く、ＡＣ駆動時には、整流回路等が不要でコスト的にも有利な交直両用の電動送風機を提供することができる。
【００１４】
請求項２に記載の発明は、ＤＣ側の整流子をインペラ側に、ＡＣ側の整流子を反インペラ側に配設した請求項１に記載の電動送風機とすることにより、ＤＣ側の整流子及びカーボンブラシにインペラで発生した冷却風が多量に当たるため、部品の温度上昇を抑えることが可能で、ＤＣ側のカーボンブラシ寿命も良化するものである。
【００１５】
請求項３に記載の発明は、ＡＣ側の整流子をインペラ側に、ＤＣ側の整流子を反インペラ側に配設した請求項１に記載の電動送風機とすることにより、ＡＣ側の整流子及びカーボンブラシにインペラで発生した冷却風が多量に当たるため、部品の温度上昇を抑えることが可能で、ＡＣ側のカーボンブラシ寿命も良化するものである。
【００１６】
請求項４に記載の発明は、ロータコアへのＤＣ側の巻線をＡＣ側の巻線よりも先に施した請求項１〜３のいずれか１項に記載の電動送風機とすることにより、ＡＣ側の巻線にインペラで発生した冷却風を多量に当てることができるため、巻線の温度上昇を抑えることができる。
【００１７】
請求項５に記載の発明は、ロータコアへのＡＣ側の巻線をＤＣ側の巻線よりも先に施した請求項１〜３のいずれか１項に記載の電動送風機とすることにより、ＤＣ側の巻線にインペラで発生した冷却風を多量に当てることができるため、巻線の温度上昇を抑えることができる。
【００１８】
請求項６に記載の発明は、ＡＣ側、ＤＣ側のいずれか一方の整流子をスリット式とした請求項１〜５のいずれか１項に記載の電動送風機とすることにより、スリット式とした方の整流子片の幅を小さく抑えることができ、全体として整流子の径小化が図れ、カーボンブラシと整流子の摺動損を抑えることができ、電動送風機の効率アップが図れるものである。
【００１９】
請求項７に記載の発明は、ＡＣ、ＤＣ両側の整流子をスリット式とした請求項１〜５のいずれか１項に記載の電動送風機とすることにより、両方の整流子片の幅を小さく抑えることができ、全体として整流子の径小化が図れ、カーボンブラシと整流子の摺動損を抑えることができ、電動送風機の効率アップが図れるものである。
【００２０】
請求項８に記載の発明は、ＤＣ側の整流子をスリット式とし、整流子片の数をロータコアのスロット数と同一に設定した請求項１〜５のいずれか１項に記載の電動送風機とすることにより、ＤＣ側の整流がよくなり、スパーク抑制か可能で、ＤＣ側のカーボンブラシ寿命を良化することができる。
【００２１】
請求項９に記載の発明は、ＤＣ側の整流子をスリット式とし、整流子片の数をロータコアのスロット数の１／２に設定した請求項１〜５のいずれか１項に記載の電動送風機とすることにより、ＤＣ側の整流子の径小化が可能で、カーボンブラシと整流子の摺動損を抑えることができ、電動送風機の効率アップが図れるものである。
【００２２】
請求項１０に記載の発明は、ステータの巻線のうち、ＡＣ用の巻線をＤＣ用の巻線よりも先に施した請求項１〜９のいずれか１項に記載の電動送風機とすることにより、ＤＣ側のステータの巻線にインペラで発生した冷却風を多量に当てることができるため、巻線の温度上昇を抑えることができる。
【００２３】
請求項１１に記載の発明は、ステータの巻線のうち、ＤＣ用の巻線をＡＣ用の巻線よりも先に施した請求項１〜９のいずれか１項に記載の電動送風機とすることにより、ＡＣ側のステータの巻線にインペラで発生した冷却風を多量に当てることができるため、巻線の温度上昇を抑えることができる。
【００２４】
請求項１２に記載の発明は、ステータの２種類の巻線を、同時にステータコアへ巻き付けた請求項１〜９のいずれか１項に記載の電動送風機とすることにより、ステータの巻線工程が一度で済み、組立て工数の削減につながるものである。
【００２５】
請求項１３に記載の発明は、請求項１〜１２記載の電動送風機を用いた電気掃除機とすることにより、高い吸込性能と耐久性を備え、コスト的にも安価な交直両用の電気掃除機を提供できる。
【００２６】
【実施例】
以下本発明の実施例について、図面を参照しながら説明する。
【００２７】
（実施例１）
図１は本発明の実施例１における電動送風機を示したものである。
【００２８】
図において、３１はステータコア３２にＡＣ側およびＤＣ側の２種類の巻線３３を施してなるステータである。３４はロータで、シャフト３５に通されたロータコア３６にＡＣ側とＤＣ側の２種類の巻線３７を施し、ＡＣ側の整流子３８と、ＤＣ側の整流子３９を同軸上にロータコア３６を挟んで配置して、シャフト３５の両端に設けられた第１の軸受４０、第２の軸受４１によって回転自在に支持されている。ステータ３１は反負荷側のブラケット４３の内側でロータ３４の外周に位置して固定され、ロータ３４は負荷側ブラケット４２、反負荷側ブラケット４３に固定された第１の軸受４０、第２の軸受４１によって支持されている。また、反負荷側ブラケット４３には、ＡＣ側のカーボンブラシ４４と、ＤＣ側のカーボンブラシ４５を、それぞれＡＣ側の異形管４６と、ＤＣ側の異形管４７を介して挿入して装備している。そして、上記各部３１〜４７によりモータ部４８を形成している。
【００２９】
また、出力軸であるシャフト３５の一方の端部（負荷側）には、インペラ４９が備えられ、インペラ４９の外周部には通風路を形成するエアーガイド５０が配されており、ケーシング５１がこれらを覆うように取り付けられており、これらによりファン部５２を構成している。
【００３０】
上記モータ部４８とファン部５２は、全体として電動送風機５３を構成しているものである。
【００３１】
上記構成において動作を説明すると、まず、ＡＣ駆動の場合、ＡＣ側の巻線３３に電力が供給されると、ＡＣ側のカーボンブラシ４４、ＡＣ側の整流子３８に伝わり、ＡＣ側の巻線３３で発生した磁束とＡＣ側の巻線３７を通る電流との間で力が発生し、ロータ３４が回転する。次にロータ３４が回転することにより、ロータ３４のシャフト３５に固定されたインペラ４９が回転し、インペラ４９内の空気を増速し、増速された空気はエアーガイド５０にて減速されて電動送風機５３内部を流れ、ロータ３４、巻線３３、ＡＣ側のカーボンブラシ４４を冷却しながら、反負荷側ブラケット４３の排気口（図示せず）より排出される。
【００３２】
また、ＤＣ駆動の場合も同様に、ＤＣ側の巻線３３に電力が供給されると、ＤＣ側のカーボンブラシ４５、ＤＣ側の整流子３９に伝わり、ＤＣ側の巻線３３で発生した磁束とＤＣ側の巻線３７を通る電流との間で力が発生し、ロータ３４が回転する。次にロータ３４が回転することにより、ロータ３４のシャフト３５に固定されたインペラ４９が回転し、インペラ４９内の空気を増速し、増速された空気はエアーガイド５０にて減速されて電動送風機５３内部を流れ、ロータ３４、巻線３３、ＤＣ側のカーボンブラシ４５を冷却しながら、反負荷側ブラケット４３の排気口（図示せず）より排出される。
【００３３】
このように、ＡＣ駆動、ＤＣ駆動それぞれにおいて、電気の流れとしては、ステータの巻線→カーボンブラシ→整流子→ロータの巻線→整流子→カーボンブラシ→ステータの巻線となるが、回路的にはＡＣとＤＣはそれぞれ完全に分離されている。また、従来は、界磁にマグネットを用いていたので、磁束が一定であったのに対し、本実施例では、ロータだけでなく、ステータの巻線仕様も、ＡＣ、ＤＣそれぞれに必要な磁束が得られるように巻くことが可能であるため、所望の電動送風機のＰＱ特性を得ることができる。また、このようないわゆるユニバーサルモータはもともと交直両用であることから、ＡＣ駆動時にも、波形を整流することなくそのままインプットできるため、界磁マグネット式にくらべて、コスト的にも有利である。さらには、界磁マグネット式の場合は、電動送風機に流れる電流が大きい場合、波形を平滑する大容量のコンデンサも必要であり、そのため、起動時の突入電流を防止する手段が必要であった。本実施例の電動送風機ではそのようなコンデンサや突入防止手段も必要なく、この点でも大変有利となっている。
【００３４】
また、本実施例においては、ＤＣ側の整流子３９、カーボンブラシ４５はインペラ４９側（負荷側）に、ＡＣ側のそれらは、反負荷側に備えられている。交直両用の電気掃除機の場合、ＤＣの電圧は電池本数によって定まるが、通常、電気掃除機本体の質量や体積の関係で、電池本数は制限され、ＤＣはＡＣよりもかなり低い電圧での運転となる場合が多い。しかしながら、ＤＣ運転時の吸込み力を重視したいときには、その分入力を上げる必要があるため、電流値が増大し、ＤＣ側のカーボンブラシ４５、整流子３９に温度的に大きな負担がかかる。そのような使い方をするときには、本実施例のようにＤＣ側の整流子３９、カーボンブラシ４５をインペラ４９側に配設すると、それらの部品に発生した冷却風が当たりやすくなるため、効率よく冷却が可能で、温度上昇抑制や、ブラシ寿命の改善等につがなる。なお、ＡＣ使用時の吸込み性能を重視し、ＡＣ使用時にＤＣ使用時よりも大きな電流を流したい時には、ＡＣ側の整流子３８、カーボンブラシ４４を負荷側へ配設することで、ＡＣ側の冷却効率をあげることも同様に可能である。
【００３５】
このように本実施例によれば、ＡＣ、ＤＣ両方の効率を高めた電動送風機および、コスト的にもより安価な電動送風機を提供できる。また、ＡＣ側、ＤＣ側のいずれかのカーボンブラシ、整流子を効率良く冷却することができ、温度上昇に有利で、耐久性に対しても、高い信頼性が得られるものである。
【００３６】
（実施例２）
次に、本発明の実施例２における電動送風機について図２を用いて説明する。なお、上記実施例１と同一構成部品については同一符号を付して、その説明を省略する。
【００３７】
図はロータコア３６への巻線の様子を簡素化して示しているが、ＤＣ用の巻線３７ＤをＡＣ用の巻線３７Ａよりも先に施しているものである。
【００３８】
これによる効果を説明すると、通常、ＤＣ用の巻線径は温度上昇や電動送風機効率の問題などから、ＡＣ用の巻線径よりも太くせざるを得ない。そのとき、巻線の単位長さあたりの質量はＤＣの巻線の方が重くなる。ロータコア３６を共用する２整流子型の電動送風機５３では、ロータコア３６に巻かれた巻線のボリュームは自ずと大きくなり、質量も増える。つまり、巻線に働く回転時の遠心力が大きくなるので、本実施例のように、太くて重いＤＣ用の巻線３７Ｄを先に巻き、その上から細くて軽いＡＣ用の巻線３７Ａを施した方が、巻線にかかる起動時の遠心力が少なく、巻線のズレによるレイヤーショート等を防止することができる。
【００３９】
このように本実施例によれば、ＡＣ側の巻線３７Ａより、ＤＣ側の巻線３７Ｄを先に施したことにより、起動時の耐久性を良化することができ、信頼性の高い電動送風機を提供できる。
【００４０】
（実施例３）
次に、本発明の実施例３における電動送風機について図３を用いて説明する。なお、上記実施例１、２と同一構成部品については同一符号を付して、その説明を省略する。
【００４１】
図はロータコア３６への巻線の様子を簡素化して示しているが、ＡＣ用の巻線３７ＡをＤＣ用の巻線３７Ｄよりも先に施しているものである。
【００４２】
これによる効果を説明すると、通常、ＤＣ用の巻線径は温度上昇や電動送風機効率の問題などから、ＡＣ用の巻線径よりも太くせざるを得ない。そのため、ＤＣ用の巻線３７Ｄは屈曲性が悪く、小さく巻き付けにくいことになる。そのため、ＤＣよりも屈曲性のよい、ＡＣ用の巻線３７Ａを先にコアに巻きつける方が、巻線が容易で、占積率も高くなる。また、電気掃除機の仕様にもよるが、電圧の低いＤＣ用の巻線３７Ｄの方が流れる電流が多い場合が多く、それが外側に巻かれる方が、巻線からの放熱性という点では有利に働く。
【００４３】
このように本実施例によれば、ＤＣ用の巻線３７Ｄより、ＡＣ用の巻線３７Ａを先に施したことにより、コアに対して効率良く巻く事ができ、温度的にも信頼性の高い電動送風機を提供できる。
【００４４】
（実施例４）
次に、本発明の実施例４における電動送風機について図４を用いて説明する。なお、上記実施例１〜３と同一構成部品については同一符号を付して、その説明を省略する。
【００４５】
図はロータ３４の一部を示し、ＤＣ側（またはＡＣ側）の整流子３９を示している。ロータ３４の巻線はスリットの切られた整流子片へヒュージングにより溶着されている。
【００４６】
このようなスリット式の整流子片では、フック式とは異なり、少ない幅の範囲内でヒュージングが行えるため、子片の幅を狭くすることが可能であり、その結果、整流子３９の径を小さくできる。電動送風機５３はそのロータ３４が回転する際、カーボンブラシ４５と整流子３９との接触が摺動損失となり、その分、効率が低下するが、整流子３９の径が小さければ小さいほど、その損失は低減する方向となり、電動送風機の効率は良化する。
【００４７】
このように本実施例によれば、ＤＣ側（またはＡＣ側）の整流子３９をスリット式にすることで、電動送風機の効率低下を抑制することができるものである。
【００４８】
なお、ＡＣ、ＤＣ両方の整流子３８、３９をスリット式にすることで、この効果はさらに増大する。
【００４９】
（実施例５）
次に、本発明の実施例５における電動送風機について図５を用いて説明する。なお、上記実施例１〜４と同一構成部品については同一符号を付して、その説明を省略する。
【００５０】
図はロータ３４の一部を示しており、上側にＤＣ側の整流子３９を、下側にロータコア３６を示している（巻線は図示せず）。整流子３９は子片に溝を掘って巻線を挟み込みヒュージングを行う、スリット式である。また各断面より明らかなように、整流子３９の子片の数とロータコア３６のスロット６０の数は同一の１２個である。
【００５１】
これによる効果を説明すると、通常、ＤＣ用の巻線はＡＣ用の巻線より太い線が巻かれるため、フック式だと整流子３９の径が大きくなってしまう。また、整流子片の数は多い方が、整流がよくなってスパークが抑制され、その結果、ブラシ寿命が良化するが、フック式だと整流子３９の径が大きくなるため、その代償として、電動送風機の効率が低下する。ところが、本実施例のように、子片数を増やすと同時にスリット式を用いると、整流をよくしながら、電動送風機の効率の低下を防ぐことができる。
【００５２】
このように本実施例では、整流子３９をスリット式とし、前記整流子片の数をロータコア３６のスロット６０の数と同一に設定したので、ＤＣ側の整流がよくなり、スパーク抑制が可能で、ＤＣ側のカーボンブラシ寿命を良化しつつ、電動送風機の効率低下を防ぐものである。
【００５３】
（実施例６）
次に、本発明の実施例６における電動送風機について図６を用いて説明する。なお、上記実施例１〜５と同一構成部品については同一符号を付して、その説明を省略する。
【００５４】
図６はロータ３４の一部を示しており、上側にＤＣ側の整流子３９を、下側にロータコア３６を示している（巻線は図示せず）。整流子３９はスリット式である。また各断面より明らかなように、整流子３９の子片の数はロータコア３６のスロット６０数の１／２で、６個である。カーボンブラシ４５と整流子３９の摺動損を極力減らし、電動送風機の効率を向上したい場合、子片の数を少なくし、スリット式の整流子を用いるとよい。
【００５５】
このように本実施例では、整流子３９をスリット式とし、前記整流子片の数をロータコア３６のスロット数の１／２に設定したので、整流子３９の径をかなり小さくすることができ、電動送風機の効率を向上させることができる。
【００５６】
（実施例７）
次に、本発明の実施例７における電動送風機について図７を用いて説明する。なお、上記実施例１〜６と同一構成部品については同一符号を付して、その説明を省略する。
【００５７】
図は電動送風機５３のステータコア３２への巻線３３の様子を簡素化して示しているが、ＡＣ用の巻線３３ＡをＤＣ用の巻線３３Ｄよりも先に施したものである。
【００５８】
これによる効果を説明すると、通常、ＤＣ用の巻線径は温度上昇や電動送風機効率の問題などから、ＡＣ用の巻線径よりも太くせざるを得ない。そのため、ＤＣ用の巻線３３Ｂよりも屈曲性のよい、ＡＣ用の巻線３３Ａを先にコアに巻きつける方が、巻線が容易で、占積率も高くなる。また、電気掃除機の仕様にもよるが、電圧の低いＤＣ巻線の方が流れる電流が多い場合が多く、それが外側に巻かれる方が、巻線からの放熱性という点では有利に働く。
【００５９】
このように本実施例によれば、ＤＣ用の巻線３３ＢよりもＡＣ用の巻線３３Ａを先に施したことにより、コアに対して効率良く巻く事ができ、温度的にも信頼性の高い電動送風機を提供できる。
【００６０】
（実施例８）
次に、本発明の実施例８における電動送風機について図８を用いて説明する。なお、上記実施例１〜７と同一構成部品については同一符号を付して、その説明を省略する。
【００６１】
図は電動送風機５３のステータコア３２への巻線３３の様子を簡素化して示しているが、ＤＣ用の巻線３３ＤをＡＣ用の巻線３３Ａよりも先に施したものである。
【００６２】
これによる効果を説明すると、通常、ＤＣ用の巻線径は温度上昇や電動送風機効率の問題などから、ＡＣ用の巻線径よりも太くせざるを得ない。そのとき当然、巻線の質量はＤＣの方が重くなる。ステータコア３２を共用する２整流子型の電動送風機５３では、ステータコア３２に巻かれた巻線のボリュームは自ずと大きくなり、質量も増える。つまり、ＤＣ用の巻線３３ＤがＡＣ用の巻線３３Ａよりも外側に巻かれた場合、電動送風機５３の回転時の振動によって、巻線のズレが発生しやすく、その結果、界磁巻線のレイヤーショートが起こる可能性が高い。そこで、質量の大きいＤＣ側の巻線を先に巻いてやれば、そのようなことは回避しやすい。
【００６３】
このように本実施例によれば、ＡＣ用の巻線３３Ａより、ＤＣ側の巻線３３Ｄを先に施したことにより、電動送風機５３の振動に対して、耐久性を良化することができ、信頼性の高い電動送風機５３を提供できる。
【００６４】
なお、ＡＣ用の巻線とＤＣ用の巻線を並列に同時に巻く方法も考えられる。この場合は、巻線工程が１回で済むため、工数の削減につながるという効果が期待できる。
【００６５】
上記した実施例１〜８は適宜組み合わせて電動送風機を構成することができることは言うまでもない。そして、各実施例の電動送風機を用いて電気掃除機を構成することにより、高い吸込性能と耐久性を備え、コスト的にも安価な交直両用の電気掃除機が提供できる。
【００６６】
【発明の効果】
以上のように、本発明は、ロータの巻線仕様に合った、界磁の巻線（磁束の調整）が可能で、ＡＣ駆動、ＤＣ駆動共に効率が高く、ＡＣ駆動時には、整流回路等が不要でコスト的にも有利な交直両用の電動送風機とそれを用いた電気掃除機を提供することができるものである。
【図面の簡単な説明】
【図１】本発明の実施例１を示す電動送風機の側断面図
【図２】本発明の実施例２を示す電動送風機のロータ部の部分断面図
【図３】本発明の実施例３を示す電動送風機のロータ部の部分断面図
【図４】本発明の実施例４を示す電動送風機のロータ部の部分側面図
【図５】本発明の実施例５を示すロータと整流子の構成図
【図６】本発明の実施例６を示すロータと整流子の構成図
【図７】本発明の実施例７を示す電動送風機のステータ部の部分断面図
【図８】本発明の実施例８を示す電動送風機のステータ部の部分断面図
【図９】従来の電動送風機の側断面図
【図１０】同電気掃除機の駆動回路図
【符号の説明】
３１  ステータ
３２  ステータコア
３３、３７  巻線
３４  ロータ
３５  シャフト
３６  ロータコア
３８  ＡＣ側の整流子
３９  ＤＣ側の整流子
４０  第１の軸受
４１  第２の軸受
４２  負荷側のブラケット
４３  反負荷側のブラケット
４４  ＡＣ側のカーボンブラシ
４５  ＤＣ側のカーボンブラシ
４８  モータ部
４９  インペラ
５２  ファン部
５３  電動送風機
６０  スロット
【図１】
0004110825.tif 000002
【図２】
0004110825.tif 000003
【図３】
0004110825.tif 000004
【図４】
0004110825.tif 000005
【図５】
0004110825.tif 000006
【図６】
0004110825.tif 000007
【図７】
0004110825.tif 000008
【図８】
0004110825.tif 000009
【図９】
0004110825.tif 000010
【図１０】
0004110825.tif 000011